(57)【要約】      （修正有）【課題】分解不能な従来の構成における運搬および収容が不便である欠点を克服するランプシェードを提供する。【解決手段】シート１１と該シートの両側にそれぞれ設けられる連接部１２および接合部１３と該シートの上縁１１１および下縁１１２に穿設される複数の貫通孔１４とを有するシェード部材１０と、複数の連通穴２１を有すると共に、取り外し可能に前記シートの上縁に取付けられる上部フレーム２０と、複数の通過穴３４を有すると共に、取り外し可能に前記シートの下縁に取付けられる下部フレーム３０と、取り外し可能に該シェード部材の複数の貫通孔と該上部フレームの複数の連通穴または該下部フレームの複数の通過穴とを接合させる複数の固定部材４０とを有することを特徴とする。【選択図】図１
0003209744.tif 000002
【実用新案登録請求の範囲】
【請求項１】
シェード部材と、上部フレームと、下部フレームと、複数の固定部材とを有し、
前記シェード部材は、可撓性を有すると共に、シートと、連接部と、接合部と、複数の貫通孔とを有し、
前記シートは、上縁と、下縁と、それぞれ前記上縁および下縁と連接されると共に、互いに反対側に位置する２つの側辺とを有し、
前記連接部は、前記シートにおける２つの側辺のうちの１つの側辺に設けられ、
前記接合部は、前記シートにおける２つの側辺のうち、前記連接部が設けられる側辺以外のもう１つの側辺に設けられると共に、前記連接部に連接され、
前記複数の貫通孔は、互いに離れて、前記シートにおける上縁に穿設される複数の貫通孔と、互いに離れて、前記シートにおける下縁に穿設される複数の貫通孔とからなり、
前記上部フレームは、取り外し可能に前記シートの上縁に取付けられると共に、前記シェード部材のシートの上縁に穿設される複数の貫通孔にそれぞれ対応し穿設される複数の連通穴を有し、
前記下部フレームは、取り外し可能に前記シートの下縁に取付けられると共に、前記シェード部材のシートの下縁に穿設される複数の貫通孔にそれぞれ対応し穿設される複数の通過穴を有し、
前記複数の固定部材は、それぞれ、互いに対応する貫通孔および連通穴に挿入すると共に、取り外し可能に前記シェード部材のシートにおける上縁に穿設される複数の貫通孔と前記複数の連通穴とをそれぞれ接合させる固定部材と、それぞれ、互いに対応する貫通孔および通過穴に挿入すると共に、取り外し可能に前記シェード部材のシートにおける下縁に穿設される複数の貫通孔と前記複数の通過穴とをそれぞれ接合させる固定部材とからなることを特徴とするランプシェード。
【請求項２】
前記シェード部材の連接部と接合部とが縫合されることを特徴とする請求項１に記載のランプシェード。
【請求項３】
前記シェード部材の連接部と接合部とが取り外し可能に係合されることを特徴とする請求項１に記載のランプシェード。
【請求項４】
前記下部フレームは、環状部材と、支持リングと、少なくとも１つ支持骨とを有し、
前記少なくとも１つ支持骨は、それぞれ、両端を有し、該両端のうちの１端と前記支持リングとが連接されると共に、該両端のうちのもう１端と前記環状部材とが連接され、
前記複数の通過穴は、それぞれ、前記環状部材における、前記シェード部材におけるシートの下縁の複数の貫通孔に対応する箇所に穿設されるものであることを特徴とする請求項１に記載のランプシェード。
【請求項５】
前記連接部は、前記シートにおける前記連接部が設けられる側辺に沿って、間欠的に設けられる複数の突出部を有することを特徴とする請求項３に記載のランプシェード。
【請求項６】
前記複数の突出部は、それぞれ、前記シートの側辺と連接される端と、前記シートの側辺から突出する端とを有し、
前記シートの側辺から突出する端は、前記シートの側辺と連接される端より幅が大きいことを特徴とする請求項５に記載のランプシェード。
【請求項７】
前記接合部は、複数のスリットを有し、
前記複数のスリットは、前記シートにおける前記連接部が設けられる側辺以外のもう１つの側辺における、前記連接部の複数の突出部にそれぞれ対応する箇所に穿設されることを特徴とする請求項５または請求項６に記載のランプシェード。
【請求項８】
前記接合部は、複数の凹入部を有し、
前記複数の凹入部は、前記複数の突出部にそれぞれ対応し、それぞれ、前記シートにおける前記連接部が設けられる側辺以外のもう１つの側辺に凹入してなると共に、凹入して行くほど幅が大きくなるものであることを特徴とする請求項５または請求項６に記載のランプシェード。
【請求項９】
前記複数の凹入部は、それぞれ、前記シートにおける前記連接部が設けられる側辺以外のもう１つの側辺に開口が形成され、それぞれの凹入部の開口は、対応する突出部における前記シートの側辺から突出する端より幅が小さく、対応する突出部における前記シートの側辺と連接される端より幅が大きいまたは同様であることを特徴とする請求項８に記載のランプシェード。
【請求項１０】
前記複数の固定部材は、スナップボタン、ボルト、又はボタンボルトであることを特徴とする請求項１に記載のランプシェード。
【考案の詳細な説明】
【技術分野】
【０００１】
本考案は、ランプシェードに関し、特に組合せ可能なランプシェードに関するものである。
【背景技術】
【０００２】
目に刺激しないように、照明に供する電球の光線を柔らかにするために、ランプシェードが用いられる。また、多様な造形なランプシェードを使用することにより、ランプシェードにおける構造上の設計を利用し、室内照明で雰囲気を醸し出すことができる。
【考案の概要】
【考案が解決しようとする課題】
【０００３】
しかしながら、骨組と、縫合や粘着手段により該骨組に固定されるシェード部材とからなる従来のランプシェードは、シェード部材を骨組から取り外すことができないものである。よって、運搬所要の収容空間が増大してしまうのみならず、ランプシェードは、ほぼ中空な構成であるので、不意の圧迫、または落下は、常に該ランプシェードの破損に繋がることから、ランプシェードを運搬する際には、格別の注意が必要になってしまう。また、シェード部材を骨組から分離させることができないので、収容上頗る不便だけでなく、ランプシェードのシェード部材が汚損した時、骨組と共に、該ランプシェードをまるごと交換しなくてはならない問題があった。
【０００４】
そこで、案出されたのが本考案であって、分解不能な従来の構成における運搬および収容が不便である欠点を克服するランプシェードを提供することを目的としている。
【課題を解決するための手段】
【０００５】
本願の請求項１の考案は、シェード部材と、上部フレームと、下部フレームと、複数の固定部材とを有し、
前記シェード部材は、可撓性を有すると共に、シートと、連接部と、接合部と、複数の貫通孔とを有し、
前記シートは、上縁と、下縁と、それぞれ前記上縁および下縁と連接されると共に、互いに反対側に位置する２つの側辺とを有し、
前記連接部は、前記シートにおける２つの側辺のうちの１つの側辺に設けられ、
前記接合部は、前記シートにおける２つの側辺のうち、前記連接部が設けられる側辺以外のもう１つの側辺に設けられると共に、前記連接部に連接され、
前記複数の貫通孔は、互いに離れて、前記シートにおける上縁に穿設される複数の貫通孔と、互いに離れて、前記シートにおける下縁に穿設される複数の貫通孔とからなり、
前記上部フレームは、取り外し可能に前記シートの上縁に取付けられると共に、前記シェード部材のシートの上縁に穿設される複数の貫通孔にそれぞれ対応し穿設される複数の連通穴を有し、
前記下部フレームは、取り外し可能に前記シートの下縁に取付けられると共に、前記シェード部材のシートの下縁に穿設される複数の貫通孔にそれぞれ対応し穿設される複数の通過穴を有し、
前記複数の固定部材は、それぞれ、互いに対応する貫通孔および連通穴に挿入すると共に、取り外し可能に前記シェード部材のシートにおける上縁に穿設される複数の貫通孔と前記複数の連通穴とをそれぞれ接合させる固定部材と、それぞれ、互いに対応する貫通孔および通過穴に挿入すると共に、取り外し可能に前記シェード部材のシートにおける下縁に穿設される複数の貫通孔と前記複数の通過穴とをそれぞれ接合させる固定部材とからなることを特徴とするランプシェード、を提供する。
【考案の効果】
【０００６】
本考案は上記の課題を解決するものであり、本考案に係るランプシェードは、取り外し可能に設けられるシェード、上部フレーム、下部フレーム、および複数の固定部材を有するので、運搬所要の空間ならびにコストを大幅に節約することができる。また、本考案に係るランプシェードのシェード部材が汚損した時、該シェード部材だけを交換すれば、他の部材を交換しなくて済む。また、本考案に係るランプシェードのシェード部材は、可撓性を有すると共に、前記上部フレームおよび下部フレームと取り外し可能に取付けられるので、縫合や粘着しなくても、容易に組合せすることができる。なお、前記複数の固定部材が、前記シェード部材と、前記上部フレームおよび下部フレームとの安定性を向上させる。このことから、分解不能な従来のランプシェードおよびその骨組における運搬、収容が不便という欠点を克服することができる。
【図面の簡単な説明】
【０００７】
【図１】本考案の第１実施例に係るランプシェードの一部分解斜視図である。
【図２】本考案の第１実施例に係るランプシェードにおけるシェード部材の展開図である。
【図３】本考案の第２実施例に係るランプシェードにおけるシェード部材の一部側面図である。
【図４】本考案の第３実施例に係るランプシェードの一部分解斜視図である。
【図５】本考案の第３実施例に係るランプシェードにおけるシェード部材の展開図である。
【図６】本考案の第４実施例に係るランプシェードにおけるシェード部材の一部側面図である。
【図７】本考案の第５実施例に係るランプシェードの一部分解斜視図である。
【考案を実施するための形態】
【０００８】
図１および図２に示すように、本考案の第１実施例に係るランプシェードは、シェード部材１０と、上部フレーム２０と、下部フレーム３０と、複数の固定部材４０とを有する。前記シェード部材１０は、可撓性を有するものである。本実施例においては、前記シェード部材１０は、例えば、ポリプロピレンまたはポリエチレンテレフタレートなどの耐熱プラスチックからなり、一体化したものであるが、この態様に限られたものではない。前記シェード部材１０は、シート１１と、連接部１２と、接合部１３と、複数の貫通孔１４とを有する。前記シート１１は、上縁１１１と、下縁１１２と、それぞれ前記上縁１１１および下縁１１２と連接されると共に、互いに反対側に位置する２つの側辺とを有する。前記上縁１１１および下縁１１２は、同様の幅を有する。また、前記連接部１２は、前記シート１１における２つの側辺のうちの１つの側辺に設けられる。前記接合部１３は、前記シート１１における２つの側辺のうち、前記連接部１２が設けられる側辺以外のもう１つの側辺に設けられると共に、前記連接部１２に取り外し可能に係合されることにより連接されるものである。本実施例において、前記連接部１２は、前記シート１１における前記連接部１２が設けられる側辺に沿って、間欠的に設けられる複数の突出部１２１を有する。前記複数の突出部１２１は、それぞれ、前記シート１１の側辺と連接される端と、前記シートの側辺から突出する端とを有する。前記シート１１の側辺から突出する端の幅Ｌ１は、前記シート１１の側辺と連接される端の幅Ｌ２より大きいものである。前記接合部１３は、複数の凹入部１３１を有する。前記複数の凹入部１３１は、前記連接部１２の複数の突出部１２１にそれぞれ対応し、それぞれ、前記シート１１における前記連接部１２が設けられる側辺以外のもう１つの側辺に凹入してなると共に、凹入して行くほど幅が大きくなるものである。前記複数の凹入部１３１は、それぞれ、前記シート１１における前記連接部１２が設けられる側辺以外のもう１つの側辺に開口が形成される。それぞれの凹入部１３１の開口の幅Ｌ３は、対応する突出部１２１における前記シート１１の側辺から突出する端の幅Ｌ１より小さく、対応する突出部１２１における前記シート１１の側辺と連接される端の幅Ｌ２より大きいまたは同様のものである。前記複数の貫通孔１４は、互いに離れて、前記シート１１における上縁１１１に穿設される複数の貫通孔１４と、互いに離れて、前記シート１１における下縁１１２に穿設される複数の貫通孔１４とからなるものである。
【０００９】
前記上部フレーム２０は、取り外し可能に前記シート１１の上縁１１１に取付けられると共に、前記シェード部材１０のシート１１の上縁１１１に穿設される複数の貫通孔１４にそれぞれ対応し穿設される複数の連通穴２１を有する。前記下部フレーム３０は、取り外し可能に前記シート１１の下縁１１２に取付けられると共に、環状部材３１と、支持リング３２と、少なくとも１つ支持骨３３と、複数の通過穴３４とを有する。前記支持リング３２は、ランプの灯座に取り付けるために、前記環状部材３１の中心に位置するように設けられるものである。前記少なくとも１つ支持骨３３は、それぞれ、両端を有し、該両端のうちの１端と前記支持リング３２とが連接されると共に、該両端のうちのもう１端と前記環状部材３１とが連接される。本実施例において、前記少なくとも１つ支持骨３３は、前記環状部材３１と前記支持リング３２との間に、等間隔に設けられる３本の支持骨３３からなる。前記複数の通過穴３４は、それぞれ、前記環状部材３１における、前記シェード部材１０におけるシート１１の下縁１１２の複数の貫通孔１４に対応する箇所に穿設されるものである。前記複数の固定部材４０は、それぞれ、互いに対応する前記シェード部材１０の貫通孔１４および前記上部フレーム２０の連通穴２１に挿入すると共に、取り外し可能に前記シェード部材１０のシート１１における上縁１１１に穿設される複数の貫通孔１４と前記複数の連通穴２１とをそれぞれ接合させる固定部材４０と、それぞれ、互いに対応する前記シェード部材１０の貫通孔１４および前記下部フレーム３０の通過穴３４に挿入すると共に、取り外し可能に前記シェード部材１０のシート１１における下縁１１２に穿設される複数の貫通孔１４と前記複数の通過穴３４とをそれぞれ接合させる固定部材４０とからなる。これにより、前記上部フレーム２０が取り外し可能に前記シート１１の上縁１１１に取付けられると共に、前記下部フレーム３０が取り外し可能に前記シート１１の下縁１１２に取付けられる。具体な実施例において、前記複数の固定部材４０は、スナップボタン、ボルト、又はボタンボルトであっても良いが、これらに限られたものではない。
【００１０】
図３に示すように、本考案の第２実施例に係るランプシェードのシェード部材１０の連接部１２の突出部１２１における前記シート１１の側辺から突出する端の形状、および、その接合部１３の凹入部１３１における前記シート１１の側辺に凹入してなる形状は、円弧状を呈するものであっても良いが、係合構成に好適な他の形状を呈するものであっても良い。
【００１１】
図４および図５に示すように、本考案の第３実施例は、前記第１実施例に略同様であるが、以下の点で異なる。本考案の第３実施例に係るランプシェードは、シート１１の上縁１１１および下縁１１２が円弧状を呈し、該下縁１１２が該上縁１１１より長く、接合部１３が複数のスリット１３１を有する。前記複数のスリット１３１は、前記シート１１における前記連接部１２が設けられる側辺以外のもう１つの側辺における、前記連接部１２の複数の突出部１２１にそれぞれ対応する箇所に穿設される。
【００１２】
図６に示すように、本考案の第４実施例において、前記複数の突出部１２１は、それぞれ、前記シート１１の側辺と連接される端と、前記シートの側辺から突出する端とを有する。前記シート１１の側辺から突出する端は、前記シート１１の側辺と連接される端より幅が大きいものであるので、それぞれ前記複数のスリット１３１に挿入される前記複数の突出部１２１を、スリット１３１から脱落することを防ぐことができる。
【００１３】
図７に示すように、本考案の第５実施例に係るランプシェードにおける前記シェード部材１０の連接部１２は、接合部１３に重ねられて縫合されることにより連接されるものである。
【００１４】
具体にいうと、前記シェード部材１０の連結部１２と接合部１３とが互いに連接されるので、ランプシェード空間が形成される。前記上部フレーム２０は、複数の連通穴２１がそれぞれ前記上縁１１１の複数の貫通孔１４に対応するように、前記シェード部材１０のシート１１の上縁１１１に取付けられる。前記下部フレーム３０は、複数の通過穴３４がそれぞれ前記下縁１１２の複数の貫通孔１４に対応するように、前記シェード部材１０のシート１１の下縁１１２に取付けられる。また、それぞれ、互いに対応する前記シェード部材１０の貫通孔１４および前記上部フレーム２０の連通穴２１に挿入すると共に、取り外し可能に前記シェード部材１０のシート１１における上縁１１１に穿設される複数の貫通孔１４と前記複数の連通穴２１とをそれぞれ接合させる固定部材４０、ならびに、それぞれ、互いに対応する前記シェード部材１０の貫通孔１４および前記下部フレーム３０の通過穴３４に挿入すると共に、取り外し可能に前記シェード部材１０のシート１１における下縁１１２に穿設される複数の貫通孔１４と前記複数の通過穴３４とをそれぞれ接合させる固定部材４０により、本考案に係るランプシェードを組合わせることができる。前記支持リング３２により、本考案に係るランプシェードをランプの灯座に取付けて使用することができる。
【産業上の利用可能性】
【００１５】
本考案は上記の構成を有するので、分解不能な従来のランプシェードおよびその骨組における運搬、収容が不便という欠点を克服することができる。
【符号の説明】
【００１６】
１０    シェード部材
１１    シート
１１１  上縁
１１２  下縁
１２    連接部
１２１  突出部
１３    接合部
１３１  凹入部
１４    貫通孔
２０    上部フレーム
２１    連通穴
３０    下部フレーム
３１    リング部材
３２    支持リング
３３    支持骨
３４    通過穴
４０    固定部材
Ｌ１、Ｌ２、Ｌ３  幅
【図１】
0003209744.tif 000003
【図２】
0003209744.tif 000004
【図３】
0003209744.tif 000005
【図４】
0003209744.tif 000006
【図５】
0003209744.tif 000007
【図６】
0003209744.tif 000008
【図７】
0003209744.tif 000009
【手続補正書】
【提出日】平成29年2月13日(2017.2.13)
【手続補正１】
【補正対象書類名】明細書
【補正対象項目名】００１１
【補正方法】変更
【補正の内容】
【００１１】
図４および図５に示すように、本考案の第３実施例は、前記第１実施例に略同様であるが、以下の点で異なる。本考案の第３実施例に係るランプシェードは、シート１１の上縁１１１および下縁１１２が円弧状を呈し、該下縁１１２が該上縁１１１より長く、接合部１３が複数のスリット１３２を有する。前記複数のスリット１３２は、前記シート１１における前記連接部１２が設けられる側辺以外のもう１つの側辺における、前記連接部１２の複数の突出部１２１にそれぞれ対応する箇所に穿設される。
【手続補正２】
【補正対象書類名】明細書
【補正対象項目名】００１２
【補正方法】変更
【補正の内容】
【００１２】
図６に示すように、本考案の第４実施例において、前記複数の突出部１２１は、それぞれ、前記シート１１の側辺と連接される端と、前記シートの側辺から突出する端とを有する。前記シート１１の側辺から突出する端は、前記シート１１の側辺と連接される端より幅が大きいものであるので、それぞれ前記複数のスリット１３２に挿入される前記複数の突出部１２１を、スリット１３２から脱落することを防ぐことができる。
【手続補正３】
【補正対象書類名】明細書
【補正対象項目名】００１６
【補正方法】変更
【補正の内容】
【００１６】
１０    シェード部材
１１    シート
１１１  上縁
１１２  下縁
１２    連接部
１２１  突出部
１３    接合部
１３１  凹入部
１３２ スリット
１４    貫通孔
２０    上部フレーム
２１    連通穴
３０    下部フレーム
３１    リング部材
３２    支持リング
３３    支持骨
３４    通過穴
４０    固定部材
Ｌ１、Ｌ２、Ｌ３  幅
【手続補正４】
【補正対象書類名】図面
【補正対象項目名】図４
【補正方法】変更
【補正の内容】
【図４】
0003209744.tif 000010
【手続補正５】
【補正対象書類名】図面
【補正対象項目名】図５
【補正方法】変更
【補正の内容】
【図５】
0003209744.tif 000011
【手続補正６】
【補正対象書類名】図面
【補正対象項目名】図６
【補正方法】変更
【補正の内容】
【図６】
0003209744.tif 000012